(57)【要約】【課題】表示部の画像表示領域をより有効に活用すること。【解決手段】携帯電話機１は、筐体１０と、表示部（第１表示部１５及び第２表示部）と、複数の露出口（第１側面露出口から第２操作面露出口１１ｄ）と、移動手段（第１移動機構及び第２移動機構）とを備える。表示部は、少なくとも一部が筐体１０の外部に露出できるように筐体１０の内部に設けられる。複数の露出口は、それぞれ表示部の少なくとも一部を通過させ、表示部を筐体１０の内部から外部に露出させることができる。また、複数の露出口は、筐体１０のそれぞれ異なる部位に形成される。移動手段は、筐体１０の外部に露出させる露出口を選択し、表示部を移動させて選択した露出口から筐体１０の外部に露出させる。【選択図】図１
2011135367.tif 000002
【特許請求の範囲】
【請求項１】
筐体と、
少なくとも一部が前記筐体の外部に露出できるように前記筐体の内部に設けられる表示部と、
前記表示部の少なくとも一部を通過させて前記筐体の外部に露出させることができる形状で、前記筐体のそれぞれ異なる部位に形成される複数の露出口と、
前記表示部を前記筐体の外部に露出させる露出口を選択し、前記表示部を移動させて選択した露出口から前記筐体の外部に露出させる移動手段と、
を備えることを特徴とする携帯電子機器。
【請求項２】
前記表示部は、可撓性を有し、
前記移動手段は、前記表示部を前記筐体内に巻き取って収納する巻取体と、当該巻取体を回転させる駆動装置とを有し、
前記駆動装置が前記巻取体を巻き取り方向に回転させて、前記表示部を前記筐体に収納し、前記駆動装置が前記巻取体を前記巻き取り方向とは逆方向に回転させて、前記表示部を前記筐体の外部に露出させることを特徴とする請求項１に記載の携帯電子機器。
【請求項３】
前記筐体に対して複数方向へ向かう操作を受け付ける操作部を備え、
前記移動手段は、前記操作部が検出した操作の方向に基づいて、前記表示部を露出させる露出口を切り替えることを特徴とする請求項１または２に記載の携帯電子機器。
【請求項４】
前記複数の露出口は、第１方向に向けて前記表示部を露出させる第１露出口と、前記第１方向とは反対方向の第２方向に向けて前記表示部を露出させる第２露出口とを含むことを特徴とする請求項３に記載の携帯電子機器。
【請求項５】
前記第１露出口は、前記筐体の短手方向の一端側に設けられ、
前記第２露出口は、前記筐体の短手方向の他端側に設けられていることを特徴とする請求項４に記載の携帯電子機器。
【請求項６】
前記移動手段は、前記第１方向及び前記第２方向の２方向に前記表示部を移動でき、
前記操作部に前記第１方向の成分を含む操作が入力されたら、前記表示部を前記第１露出口から露出させ、
前記操作部に前記第２方向の成分を含む操作が入力されたら、前記表示部を前記第２露出口から露出させることを特徴とする請求項４または請求項５に記載の携帯電子機器。
【請求項７】
前記第１露出口及び前記第２露出口は、前記筐体の前記操作部が設けられている操作面上を通過せずに前記表示部を露出させ、
前記複数の露出口は、前記操作面上を通過して前記表示部を前記第１の方向に露出させる第３露出口と、前記操作面上を通過して前記表示部を前記第２の方向に露出させる第４露出口とを含み、
前記移動手段は、
前記操作部に前記第１方向及び前記第２方向に直交する第３方向の成分を含む操作が入力されたら、前記表示部を前記第１露出口または前記第２露出口から露出させ、
前記操作部に前記第３方向とは反対方向の第４方向の成分を含む操作が入力されたら、前記表示部を前記第３露出口または前記第４露出口から露出させることを特徴とする請求項６に記載の携帯電子機器。
【請求項８】
前記移動手段は、
前記操作部に入力された操作量が大きいほど、前記筐体の外部に露出させる前記表示部の面積を増加させ、
前記操作部に入力された操作量が小さいほど、前記筐体の外部に露出させる前記表示部の面積を減少させることを特徴とする請求項４から請求項７のいずれか一項に記載の携帯電子機器。
【請求項９】
前記複数の露出口は、前記筐体の前記操作部が設けられている操作面上を通過して前記表示部を露出させる露出口と、前記操作面上を通過せずに前記表示部を露出させる露出口とを含むことを特徴とする請求項１から請求項５のいずれか一項に記載の携帯電子機器。
【請求項１０】
前記表示部は、前記筐体の外部に露出される部分の最大の面積が、前記筐体の最も広い面の面積よりも大きいことを特徴とする請求項１から請求項９のいずれか一項に記載の携帯電子機器。
【発明の詳細な説明】
【技術分野】
【０００１】
本発明は、少なくとも一部が筐体の外部に露出できるように筐体の内部に設けられる表示部を備える携帯電子機器に関する。
【背景技術】
【０００２】
従来、画像を表示する表示部を備えた携帯電子機器がある。一般的な携帯電子機器は、表示部が携帯電子機器の筐体に固定されている。このような携帯電子機のうち、例えば、縦長の表示部を備える携帯電話機では、横長の画像をそのまま表示部が表示すると、表示部の画像表示領域を有効に活用できない。そこで、縦長の表示部を備える携帯電話機では、表示部の長手方向に画像の長手方向が沿うように画像を回転させて表示部に表示させる場合がある。この場合、ユーザーは、筐体を９０°回転するように持ちかえる必要がある。そこで、例えば、特許文献１には、表示部を回転させる構造を備える装置が開示されている。
【先行技術文献】
【特許文献】
【０００３】
【特許文献１】特開２００６−３１３５３３号公報
【発明の概要】
【発明が解決しようとする課題】
【０００４】
特許文献１に記載の装置は、表示部の大きさが一定である。よって、表示部の画像表示領域よりもサイズが大きい画像を表示部に表示させる場合、特許文献１に記載の装置は、表示部の表示領域に画像の一部しか表示できなかったり、画像を縮小して表示する必要があったりする。表示部の表示領域に画像の一部しか表示できない場合、ユーザーは画像をスクロールさせる必要がある。一方、画像を縮小して表示する場合、画質が低下するおそれもがある。このように、特許文献１に記載の装置は、表示部の画像表示領域を有効に活用できない場合がある。
【０００５】
本発明は、上記に鑑みてなされたものであって、表示部の画像表示領域をより有効に活用できる携帯電子機器を提供することを目的とする。
【課題を解決するための手段】
【０００６】
上述した課題を解決し、目的を達成するために、本発明に係る携帯電子機器は、筐体と、少なくとも一部が前記筐体の外部に露出できるように前記筐体の内部に設けられる表示部と、前記表示部の少なくとも一部を通過させて前記筐体の外部に露出させることができる形状で、前記筐体のそれぞれ異なる部位に形成される複数の露出口と、前記表示部を前記筐体の外部に露出させる露出口を選択し、前記表示部を移動させて選択した露出口から前記筐体の外部に露出させる移動手段と、を備えることを特徴とする。
【０００７】
本発明の好ましい態様としては、前記表示部は、可撓性を有し、前記移動手段は、前記表示部を前記筐体内に巻き取って収納する巻取体と、当該巻取体を回転させる駆動装置とを有し、前記駆動装置が前記巻取体を巻き取り方向に回転させて、前記表示部を前記筐体に収納し、前記駆動装置が前記巻取体を前記巻き取り方向とは逆方向に回転させて、前記表示部を前記筐体の外部に露出させることが望ましい。
【０００８】
本発明の好ましい態様としては、前記筐体に対して複数方向へ向かう操作を受け付ける操作部を備え、前記移動手段は、前記操作部が検出した操作の方向に基づいて、前記表示部を露出させる露出口を切り替えることが望ましい。
【０００９】
本発明の好ましい態様としては、前記複数の露出口は、第１方向に向けて前記表示部を露出させる第１露出口と、前記第１方向とは反対方向の第２方向に向けて前記表示部を露出させる第２露出口とを含むことが望ましい。
【００１０】
本発明の好ましい態様としては、前記第１露出口は、前記筐体の短手方向の一端側に設けられ、前記第２露出口は、前記筐体の短手方向の他端側に設けられていることが望ましい。
【００１１】
本発明の好ましい態様としては、前記移動手段は、前記第１方向及び前記第２方向の２方向に前記表示部を移動でき、前記操作部に前記第１方向の成分を含む操作が入力されたら、前記表示部を前記第１露出口から露出させ、前記操作部に前記第２方向の成分を含む操作が入力されたら、前記表示部を前記第２露出口から露出させることが望ましい。
【００１２】
本発明の好ましい態様としては、前記第１露出口及び前記第２露出口は、前記筐体の前記操作部が設けられている操作面上を通過せずに前記表示部を露出させ、前記複数の露出口は、前記操作面上を通過して前記表示部を前記第１の方向に露出させる第３露出口と、前記操作面上を通過して前記表示部を前記第２の方向に露出させる第４露出口とを含み、前記移動手段は、前記操作部に前記第１方向及び前記第２方向に直交する第３方向の成分を含む操作が入力されたら、前記表示部を前記第１露出口または前記第２露出口から露出させ、前記操作部に前記第３方向とは反対方向の第４方向の成分を含む操作が入力されたら、前記表示部を前記第３露出口または前記第４露出口から露出させることが望ましい。
【００１３】
本発明の好ましい態様としては、前記移動手段は、前記操作部に入力された操作量が大きいほど、前記筐体の外部に露出させる前記表示部の面積を増加させ、前記操作部に入力された操作量が小さいほど、前記筐体の外部に露出させる前記表示部の面積を減少させることが望ましい。
【００１４】
本発明の好ましい態様としては、前記複数の露出口は、前記筐体の前記操作部が設けられている操作面上を通過して前記表示部を露出させる露出口と、前記操作面上を通過せずに前記表示部を露出させる露出口とを含むことが望ましい。
【００１５】
本発明の好ましい態様としては、前記表示部は、前記筐体の外部に露出される部分の最大の面積が、前記筐体の最も広い面の面積よりも大きいことが望ましい。
【発明の効果】
【００１６】
本発明に係る携帯電子機器は、表示部の画像表示領域をより有効に活用できるという効果を奏する。
【図面の簡単な説明】
【００１７】
【図１】携帯電話機の外観を示す斜視図である。
【図２−１】筐体の内部に表示部がすべて収納されている様子を模式的に示す説明図である。
【図２−２】第２表示部が第１側面露出口から露出されている様子を模式的に示す説明図である。
【図２−３】第２表示部が第２操作面露出口から露出されている様子を模式的に示す説明図である。
【図２−４】第１表示部が第２側面露出口から露出されている様子を模式的に示す説明図である。
【図２−５】第１表示部が第１操作面露出口から露出されている様子を模式的に示す説明図である。
【図３】制御装置が有する機能を示すブロック図である。
【図４】制御装置が実行する一連の手順を示すフローチャートである。
【図５−１】左手でタッチパネルを操作する様子を示す説明図である。
【図５−２】右手でタッチパネルを操作する様子を示す説明図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯電子機器として携帯電話機を例として説明するが、本発明の適用対象は携帯電話機に限定されるものではない。例えば、ＰＨＳ（Personal Handyphone System）、ＰＤＡ、ポータブルナビゲーション装置、ノートパソコン、ゲーム機等に対しても本発明を適用できる。
【００１９】
（実施形態）
図１は、携帯電話機の外観を示す斜視図である。図２−１は、筐体の内部に表示部がすべて収納されている様子を模式的に示す説明図である。図２−２は、第２表示部が第１側面露出口から露出されている様子を模式的に示す説明図である。図２−３は、第２表示部が第２操作面露出口から露出されている様子を模式的に示す説明図である。図２−４は、第１表示部が第２側面露出口から露出されている様子を模式的に示す説明図である。図２−５は、第１表示部が第１操作面露出口から露出されている様子を模式的に示す説明図である。なお、図１から図２−５の各図は、携帯電話機１の構成を模式的に示す図であって、各装置の大きさや配置位置などは、実際のものと異なる場合がある。
【００２０】
図１に示すように、携帯電話機１は、筐体１０と、マイク１２と、レシーバ１３と、操作部１４と、図２−１から図２−５の各図に示す表示部としての第１表示部１５及び第２表示部１６と、移動手段としての第１移動機構２０及び第２移動機構３０と、図１に示す制御装置４０とを備える。筐体１０は、例えば、単一で構成されるストレート型筐体である。なお、筐体１０は、例えば、第１筐体と第２筐体との２つを含んで構成されてもよい。この場合、筐体１０は、第１筐体が第２筐体に対してスライドする構成のスライド式筐体でもよいし、第１筐体が第２筐体に対して回動する折り畳み式の筐体でもよい。
【００２１】
マイク１２と、レシーバ１３と、操作部１４と、第１表示部１５及び第２表示部１６と、第１移動機構２０及び第２移動機構３０と、制御装置４０とは、筐体１０の内部に設けられる。但し、第１表示部１５及び第２表示部１６は、それぞれ、少なくとも一部が筐体１０の外部に露出できるように設けられる。マイク１２と、レシーバ１３と、操作部１４と、第１表示部１５及び第２表示部１６と、第１移動機構２０及び第２移動機構３０とは、それぞれ制御装置４０と電気的に接続される。制御装置４０は、ＣＰＵ（Central Processing Unit）を含んで構成され、携帯電話機１の全体的な動作を統括的に制御する装置である。
【００２２】
マイク１２は、音声を電気信号に変換して制御装置４０に出力する。制御装置４０は、電気信号に変換された音声をマイク１２から取得する。レシーバ１３は、制御装置４０から出力された電気信号を音声に変換して出力する。操作部１４は、例えば、ボタンが筐体１０の外部に露出して設けられる。筐体１０のうち、操作部１４が露出する面を操作面１０ａという。操作面１０ａは、筐体１０が有する面の中で最も面積が広い。操作部１４は、携帯電話機１のユーザーによって操作される。制御装置４０は、操作部１４を介してユーザーが入力した情報を取得する。
【００２３】
本実施形態の操作部１４は、タッチパネル１４ａを含む。タッチパネル１４ａは、ユーザーの接触を感知する。例えば、ユーザーがタッチパネル１４ａを指で触ったまま指を動かすと、タッチパネル１４ａは、自身（タッチパネル１４ａ）と指との現在の接点の位置を信号として制御装置４０に出力する。制御装置４０は、この情報に基づいて指とタッチパネル１４ａとの接点が移動する方向（以下操作方向という）と、指とタッチパネル１４ａとの接点が移動する量（以下操作量という）とを算出する。なお、ユーザーによる操作方向と操作量とを制御装置４０が算出できれば、操作部１４が有する装置はタッチパネル１４ａに限定されない。例えば、操作部１４は、タッチパネル１４ａに替えて、いわゆるアナログスティックや、トラックボールを含んで構成されてもよい。
【００２４】
図２−１から図２−５の各図に示す第１表示部１５及び第２表示部１６は、制御装置４０から取得した信号に基づいて画像を表示する。第１表示部１５及び第２表示部１６は、可撓性を有する。第１表示部１５及び第２表示部１６は、例えば、図２−１に示すように、ロール状に丸められて筐体１０内に収納される。なお、以下、第１表示部１５及び第２表示部１６を総じて単に表示部ということがある。第１移動機構２０は、第１巻取体２１ａと、第１補助部材２１ｂと、駆動装置としての第１モータ２２と、第１ガイド２３と、第１アクチュエータ２４とを含んで構成される。第１巻取体２１ａは、棒状部材である。本実施形態では、第１巻取体２１ａは円柱か筒状の形状に形成される。第１巻取体２１ａは、自身（第１巻取体２１ａ）の中心軸ＲＬを中心に回転できるように筐体１０の内部に支持される。
【００２５】
ここで、操作面１０ａに沿い、かつ、中心軸ＲＬに直交する２方向のうちの一方を第１方向とし、他方を第２方向とする。第１方向及び第２方向は、筐体１０の短手方向に相当する。また、操作面１０ａに沿い、かつ、第１方向及び第２方向に直交する２方向の一方を第３方向とし、他方を第４方向とする。第３方向及び第４方向は、筐体１０の長手方向に相当する。本実施形態では、第３方向はマイク１２からレシーバ１３に向かう方向であり、第４方向はレシーバ１３からマイク１２に向かう方向である。第１方向は第３方向を上とした場合に向かって右方向であり、第２方向は第３方向を上とした場合に向かって左方向である。
【００２６】
また、筐体１０が有する６面のうち操作面１０ａと交わる４つの面を第１側面１０ｂと、第２側面１０ｃと、第３側面１０ｄと、第４側面１０ｅという。第１側面１０ｂ及び第２側面１０ｃは、第１方向及び第２方向に沿う仮想の直線が交わる面である。第１側面１０ｂは、操作部１４よりも第２方向側に配置される面である。第２側面１０ｃは、操作部１４よりも第１方向側に配置される面である。第３側面１０ｄは、操作部１４よりも第３方向側に配置される面である。第４側面１０ｅは、操作部１４よりも第４方向側に配置される面である。
【００２７】
第１巻取体２１ａは、第１側面１０ｂ側、すなわち、第１側面露出口１１ａ及び第１操作面露出口１１ｂ側に配置される。第１補助部材２１ｂは、可撓性を有する板状の部材である。第１補助部材２１ｂは、一端が第１巻取体２１ａの側周部に連結され、他端が第１表示部１５の巻取体側端部１５ａに連結される。第１表示部１５は、第１補助部材２１ｂと共に第１巻取体２１ａの側周部に巻き付けられることで筐体１０の内部に収納される。なお、第１移動機構２０は、第１補助部材２１ｂを含まなくてもよい。この場合、携帯電話機１は、第１表示部１５の巻取体側端部１５ａが第１巻取体２１ａの側周部に直接連結される。
【００２８】
第１モータ２２は、回転力を発生する。第１モータ２２が発生した回転力は、第１巻取体２１ａに伝えられる。第１巻取体２１ａは、第１モータ２２が発生した力が伝わると回転する。第１モータ２２は、相反する２方向の回転力を発生できる。この２方向のうち、第１表示部１５を引き込むように第１巻取体２１ａを回転させる方向を巻取り方向といい、巻取り方向とは反対方向を送り出し方向という。第１ガイド２３は、第１表示部１５の進行方向を切り替える装置である。より正確には、第１ガイド２３は、第１表示部１５のうち巻取体側端部１５ａとは反対側の先端１５ｂを、第１操作面露出口１１ｂに導くか、第２側面露出口１１ｃに導くかを切り替えるためのガイド部材である。第１アクチュエータ２４は、第１ガイド２３を動かすための駆動装置である。第１アクチュエータ２４は、例えば、筐体１０の内壁面に取り付けられる。
【００２９】
第２移動機構３０は、第２巻取体３１ａと、第２補助部材３１ｂと、第２モータ３２と、第２ガイド３３と、第２アクチュエータ３４とを含んで構成される。第２巻取体３１ａと、第２補助部材３１ｂと、駆動装置としての第２モータ３２と、第２アクチュエータ３４とは、それぞれ第１巻取体２１ａと、第１補助部材２１ｂと、第１モータ２２と、第１アクチュエータ２４と同様の構成である。但し、第２巻取体３１ａは、第２側面１０ｃ側、すなわち、第２側面露出口１１ｃ及び第２操作面露出口１１ｄ側に配置される点で、第１巻取体２１ａとは異なる。また、第２補助部材３１ｂは、第２表示部１６の巻取体側端部１６ａに連結される点で、第１補助部材２１ｂとは異なる。第２ガイド３３は、第２表示部１６の進行方向を切り替える装置である。より正確には、第２ガイド３３は、第２表示部１６のうち巻取体側端部１６ａとは反対側の先端１６ｂを、第２操作面露出口１１ｄに導くか、第１側面露出口１１ａに導くかを切り替えるためのガイド部材である。
【００３０】
筐体１０は、図２−１から図２−５の各図に示すように、第１側面露出口１１ａと、第１操作面露出口１１ｂと、第２側面露出口１１ｃと、第２操作面露出口１１ｄとの４つの露出口が形成される。以下、第１側面露出口１１ａから第２操作面露出口１１ｄを区別しない場合には、単に露出口という。各露出口は、筐体１０の内部と外部とを連通する貫通孔である。第１操作面露出口１１ｂ及び第２操作面露出口１１ｄは、第１表示部１５が通過できる形状に形成される。第１側面露出口１１ａ及び第２側面露出口１１ｃは、第２表示部１６が通過できる形状に形成される。
【００３１】
各露出口は、例えば、図１に示すように長方形に形成される。長方形に形成される各露出口の長辺は、中心軸ＲＬと平行である。第１操作面露出口１１ｂ及び第２側面露出口１１ｃの長辺の寸法は、第１表示部１５の幅方向の寸法よりも大きい。また、長方形に形成される第１操作面露出口１１ｂ及び第２側面露出口１１ｃの短辺は、第１表示部１５の厚さよりも大きい。第１側面露出口１１ａ及び第２操作面露出口１１ｄの長辺の寸法は、第２表示部１６の幅方向の寸法よりも大きい。また、長方形に形成される第１側面露出口１１ａ及び第２操作面露出口１１ｄの短辺は、第２表示部１６の厚さよりも大きい。なお、表示部の幅方向とは、中心軸ＲＬ方向と平行な方向である。
【００３２】
第１側面露出口１１ａは、筐体１０のうち第１側面１０ｂ側の部位に配置される。第１側面１０ｂ側の部位は、第１側面１０ｂと、操作面１０ａのうち操作部１４と第１側面１０ｂとの間の部位とを含む。第１側面露出口１１ａは、具体的には、第１側面１０ｂに形成される。第１操作面露出口１１ｂは、筐体１０のうち第１側面１０ｂ側の部位に配置される。具体的には、第１操作面露出口１１ｂは、操作面１０ａのうち、操作部１４と第１側面１０ｂとの間に形成される。
【００３３】
第２側面露出口１１ｃは、筐体１０のうち第２側面１０ｃ側の部位に配置される。第２側面１０ｃ側の部位は、第２側面１０ｃと、操作面１０ａのうち操作部１４と第２側面１０ｃとの間の部位とを含む。第２側面露出口１１ｃは、具体的には、第２側面１０ｃに形成される。第２操作面露出口１１ｄは、筐体１０のうち第２側面１０ｃ側の部位に配置される。具体的には、第２操作面露出口１１ｄは、操作面１０ａのうち、操作部１４と第２側面１０ｃとの間に形成される。次に、制御装置４０の構成を説明する。
【００３４】
図３は、制御装置が有する機能を示すブロック図である。制御装置４０は、１つの装置が図３に示す各機能を実現してもよいし、図３に示す各機能をそれぞれ別個に実現する複数の装置が電気的に接続されることで各機能を実現してもよい。制御装置４０は、記憶部４１と、メール送受信部４２と、音声処理部４３と、表示制御部４４と、移動制御部４５と、主制御部４６との各機能を実現する。記憶部４１は、制御装置４０が実行する一連の手順（プログラム）を記憶したり、前記一連の手順の実行に必要な情報を記憶したりする。
【００３５】
メール送受信部４２は、ユーザーが作成したメールを送信したり、他の携帯電話機から送信されたメールを受信したりする。音声処理部４３は、本実施形態の携帯電話機１と、他の携帯電話機との間での音声通話を実現するための機能である。音声処理部４３は、マイク１２及びレシーバ１３と信号をやりとりする。具体的には、音声処理部４３は、マイク１２が電気信号に変換した音声データをマイク１２から取得する。また、音声処理部４３は、レシーバ１３へ信号を出力して、レシーバ１３に音声を出力させる。表示制御部４４は、第１表示部１５に表示させる画像を生成する。そして、表示制御部４４は、生成した画像を信号として、第１表示部１５に出力する。また、表示制御部４４は、第２表示部１６に表示させる画像を生成する。そして、表示制御部４４は、生成した画像を信号として、第２表示部１６に出力する。
【００３６】
移動制御部４５は、第１モータ２２の動作と、第１アクチュエータ２４の動作とを制御する。具体的には、移動制御部４５は、第１モータ２２の回転方向を切り替えると共に、第１モータ２２の回転角度を調節する。また、移動制御部４５は、第１アクチュエータ２４の動作を制御することで、図２−１に示す第１表示部１５の先端１５ｂを、第１操作面露出口１１ｂへ導くか、第２側面露出口１１ｃへ導くかを切り替える。また、移動制御部４５は、第２モータ３２の動作と、第２アクチュエータ３４の動作とを制御する。具体的には、移動制御部４５は、第２モータ３２の回転方向を切り替えると共に、第２モータ３２の回転角度を調節する。また、移動制御部４５は、第２アクチュエータ３４の動作を制御することで、図２−１に示す第２表示部１６の先端１６ｂを、第２操作面露出口１１ｄへ導くか、第１側面露出口１１ａへ導くかを切り替える。
【００３７】
主制御部４６は、記憶部４１から移動制御部４５の各部を統括すると共に、記憶部４１から移動制御部４５の各部とは異なる機能を実現する。例えば、主制御部４６は、記憶部４１から必要な情報を取得したり、記憶部４１に情報を記憶させたり、操作部１４からユーザーの操作を信号として取得したりする。また、主制御部４６は、記憶部４１に記憶されている一連の手順（プログラム）を実行したり、前記一連の手順の実行に必要な演算をしたりする。次に、第１表示部１５の動きと、第２表示部１６の動きとを説明しつつ、各露出口が有する機能を説明する。
【００３８】
図３に示す移動制御部４５が第２モータ３２及び第２アクチュエータ３４の動作を制御し、図２−２に示すように、第２表示部１６が第１側面露出口１１ａに導かれると、第１側面露出口１１ａから露出した第２表示部１６は第２方向に移動する。また、第２表示部１６は、第１側面露出口１１ａに導かれると、操作面１０ａを覆わない、すなわち操作面１０ａを通過しない。よって、第１側面露出口１１ａは、第２露出口として機能する。また、移動制御部４５が第２モータ３２及び第２アクチュエータ３４の動作を制御し、図２−３に示すように、第２表示部１６が第２操作面露出口１１ｄに導かれると、第２操作面露出口１１ｄから露出した第２表示部１６は第２方向に向かって移動する。さらに、第２表示部１６は、第２操作面露出口１１ｄに導かれると、操作面１０ａを覆う、すなわち操作面１０ａを通過する。よって、第２操作面露出口１１ｄは、第４露出口として機能する。
【００３９】
移動制御部４５が第１モータ２２及び第１アクチュエータ２４の動作を制御し、図２−４に示すように、第１表示部１５が第２側面露出口１１ｃに導かれると、第２側面露出口１１ｃから露出した第１表示部１５は第１方向に移動する。また、第１表示部１５は、第２側面露出口１１ｃに導かれると、操作面１０ａを覆わない、すなわち操作面１０ａを通過しない。よって、第２側面露出口１１ｃは、第１露出口として機能する。また、移動制御部４５が第１モータ２２及び第１アクチュエータ２４の動作を制御し、図２−５に示すように、第１表示部１５が第１操作面露出口１１ｂに導かれると、第１操作面露出口１１ｂから露出した第１表示部１５は第１方向に向かって移動する。さらに、第１表示部１５は、第１操作面露出口１１ｂに導かれると、操作面１０ａを覆う、すなわち操作面１０ａを通過する。よって、第１操作面露出口１１ｂは、第３露出口として機能する。次に、制御装置４０が実行する一連の手順を説明する。
【００４０】
図４は、制御装置が実行する一連の手順を示すフローチャートである。図４に示すステップＳＴ１０１で、図３に示す主制御部４６は、操作部１４から信号を取得する。次に、ステップＳＴ１０２で、主制御部４６は、図１に示すタッチパネル１４ａに入力されたベクトル、すなわち操作方向及び操作量Ｌを算出する。上述したように、操作方向とは、ユーザーの指とタッチパネル１４ａとの接点が移動する方向であり、操作量とは、ユーザーの指とタッチパネル１４ａとの接点が移動する量である。次に、ステップＳＴ１０３で、主制御部４６は、ステップＳＴ１０２で算出したベクトルを第１方向から第４方向の各方向の成分に分解する。例えば、操作方向が第１方向と第３方向との中間方向であった場合、主制御部４６は、タッチパネル１４ａに入力されたベクトルを第１方向の成分と、第３方向の成分とに分解する。なお、この場合、タッチパネル１４ａに入力されたベクトルに第２方向の成分及び第４方向の成分は含まれない。
【００４１】
次に、ステップＳＴ１０４で、主制御部４６は、ステップＳＴ１０２で算出されたベクトルに第３方向の成分が含まれているか否かを判定する。ベクトルに第３方向の成分が含まれている場合（ステップＳＴ１０４、Ｙｅｓ）、ステップＳＴ１０５で、主制御部４６は、ベクトルに第１方向の成分が含まれているか否かを判定する。ベクトルに第１方向の成分が含まれている場合（ステップＳＴ１０５、Ｙｅｓ）、ステップＳＴ１０６で、図３に示す移動制御部４５は、図２−４に示すように、第１ガイド２３が第１表示部１５の先端１５ｂを第２側面露出口１１ｃへ導くように第１アクチュエータ２４の動作を制御する。ステップＳＴ１０５で、ベクトルに第１方向の成分が含まれていない場合（ステップＳＴ１０５、Ｎｏ）、主制御部４６は、ベクトルに第２方向の成分が含まれていると判定する。そしてステップＳＴ１０７で、移動制御部４５は、図２−２に示すように、第２ガイド３３が第２表示部１６の先端１６ｂを第１側面露出口１１ａへ導くように第２アクチュエータ３４の動作を制御する。
【００４２】
ステップＳＴ１０４で、ベクトルに第３方向の成分が含まれていない場合（ステップＳＴ１０４、Ｎｏ）、主制御部４６は、ベクトルに第４方向の成分が含まれていると判定する。そしてステップＳＴ１０８で、主制御部４６は、ステップＳＴ１０２で算出されたベクトルに第１方向の成分が含まれているか否かを判定する。ベクトルに第１方向の成分が含まれている場合（ステップＳＴ１０８、Ｙｅｓ）、ステップＳＴ１０９で、図３に示す移動制御部４５は、図２−５に示すように、第１ガイド２３が第１表示部１５の先端１５ｂを第１操作面露出口１１ｂへ導くように第１アクチュエータ２４の動作を制御する。
【００４３】
ベクトルに第１方向の成分が含まれていない場合（ステップＳＴ１０８、Ｎｏ）、主制御部４６は、ベクトルに第２方向の成分が含まれていると判定する。そしてステップＳＴ１１０で、移動制御部４５は、図２−３に示すように、第２ガイド３３が第２表示部１６の先端１６ｂを第２操作面露出口１１ｄへ導くように第２アクチュエータ３４の動作を制御する。図４に示すステップＳＴ１０６またはステップＳＴ１０９の実行が完了すると、次に、ステップＳＴ１１１で、図３に示す主制御部４６は、ステップＳＴ１０２で算出した操作量Ｌが第１閾値Ｌ１以上であるか否かを判定する。操作量Ｌが第１閾値Ｌ１以上ではない場合（ステップＳＴ１１１、Ｎｏ）、ステップＳＴ１１２で、主制御部４６は、操作量Ｌが第２閾値Ｌ２以上であるか否かを判定する。
【００４４】
この第１閾値Ｌ１及び第２閾値Ｌ２は、操作量Ｌを大中小の３段階に分類するための閾値である。第１閾値Ｌ１は、第２閾値Ｌ２よりも大きい。操作量Ｌが第２閾値Ｌ２以上ではない場合（ステップＳＴ１１２、Ｎｏ）、ステップＳＴ１１３で、図３に示す移動制御部４５は、図２−４及び図２−５に示す第１巻取体２１ａの回転角度が角度ＷＳになるように第１モータ２２を駆動する。図４に示す角度ＷＳと、角度ＷＭと、角度ＷＬとは、所定値である。角度ＷＳが最も小さく、角度ＷＬが最も大きい。
【００４５】
第１巻取体２１ａが角度ＷＳ回転した場合に露出口から露出した第１表示部１５の面積は最も小さくなる。また、第１巻取体２１ａが角度ＷＬ回転した場合に露出口から露出した第１表示部１５の面積は最も大きい。この時、露出口から露出した第１表示部１５の面積は、例えば、図１に示す操作面１０ａの面積よりも大きい。操作量Ｌが第２閾値Ｌ２以上である場合（ステップＳＴ１１２、Ｙｅｓ）、ステップＳＴ１１４で、移動制御部４５は、図２−４及び図２−５に示す第１巻取体２１ａの回転角度が角度ＷＭになるように第１モータ２２を駆動する。操作量Ｌが第１閾値Ｌ１以上である場合（ステップＳＴ１１１、Ｙｅｓ）、ステップＳＴ１１５で、移動制御部４５は、図２−４及び図２−５に示す第１巻取体２１ａの回転角度が角度ＷＬになるように第１モータ２２を駆動する。
【００４６】
ステップＳＴ１０７またはステップＳＴ１１０の実行が完了すると、次に、主制御部４６は、ステップＳＴ１１６を実行する。ステップＳＴ１１６からステップＳＴ１２０の一連の手順は、ステップＳＴ１１１からステップＳＴ１１５の一連の手順と同様である。但し、ステップＳＴ１１６からステップＳＴ１２０の一連の手順は、図２−２及び図２−３に示す第２モータ３２による第２巻取体３１ａの回転角度を調節する点で、ステップＳＴ１１１からステップＳＴ１１５の一連の手順と異なる。ステップＳＴ１１３からステップＳＴ１１５と、ステップＳＴ１１８からステップＳＴ１２０との各手順の実行が完了すると、制御装置４０は、一連の手順の実行を終了し、ステップＳＴ１０１へ戻る。
【００４７】
上記構成により、筐体１０の内部に収納される表示部は、少なくとも一部が露出口から筐体１０の外部に露出される。これにより、携帯電話機１は、画像の表示に必要な分、筐体１０の内部から第１表示部１５または第２表示部１６を露出できる。そして、第１表示部１５または第２表示部１６のうち筐体１０の外部に露出された部分に画像を表示することで、携帯電話機１は、不要となる画像表示領域を低減できる。よって、携帯電話機１は、表示部の画像表示領域をより有効に活用できる。
【００４８】
また、携帯電話機１は、筐体１０の最も広い面、すなわち操作面１０ａよりも面積が大きい表示部を筐体１０の内部に備え、この表示部を露出口から筐体１０の外部に露出する。これにより、携帯電話機１は、表示部のうち筐体１０の外部に露出する部分の最大の面積を操作面１０ａよりも大きくできる。結果として、携帯電話機１は、より大きな画像を縮小せずに表示部が表示できる。そして、携帯電話機１は、可撓性を有する表示部が丸められて筐体１０の内部に収納されることにより、シンプルな構造で操作面１０ａよりも面積が大きい表示部を筐体１０の内部に備えることができる。また、携帯電話機１は、制御装置４０が上記一連の手順を実行することにより、図２−１から図２−５の各図に示す第１表示部１５または第２表示部１６が導かれる露出口を切り替えることができる。これにより、携帯電話機１が奏する効果を以下に説明する。
【００４９】
図５−１は、左手でタッチパネルを操作する様子を示す説明図である。図５−２は、右手でタッチパネルを操作する様子を示す説明図である。ユーザーは図５−１及び図５−２に示すように、親指を用いてタッチパネル１４ａを操作する傾向がある。さらに、ユーザーが左手でタッチパネル１４ａを操作する場合、操作方向は、図５−１に示すように、第３方向と第１方向との中間方向ＵＲ、または、第４方向と第２方向との中間方向ＤＬになりやすい。一方、ユーザーが右手でタッチパネル１４ａを操作する場合、操作方向は、図５−２に示すように、第３方向と第２方向との中間方向ＵＬ、または、第４方向と第１方向との中間方向ＤＲになりやすい。
【００５０】
図４に示すステップＳＴ１０６に至った場合、ユーザーがタッチパネル１４ａに入力した操作方向は、図５−１に示す中間方向ＵＲである。よって、ステップＳＴ１０６に至った場合、ユーザーは、左手で操作している場合が多い。ユーザーが左手で操作している場合、図５−１に示すように筐体１０の第１側面１０ｂは、親指と人差し指との股で覆われている。このとき、移動制御部４５は、第２側面露出口１１ｃから第１表示部１５を露出させる。これにより、携帯電話機１は、第１表示部１５がユーザーの手と干渉するおそれを低減できる。結果として、携帯電話機１は、ユーザーに筐体１０を持ちかえさせるおそれを低減できる。
【００５１】
また、ステップＳＴ１０６に至った場合、ユーザーは第１方向に向かって親指を押し出すようにタッチパネル１４ａを操作したことになる。このとき、移動制御部４５は、図２−４に示すように、第２側面露出口１１ｃから第１表示部１５を露出させる。これにより、移動制御部４５は、第２側面露出口１１ｃから露出された第１表示部１５を第１方向に移動させる。よって、第１表示部１５が第２側面露出口１１ｃから露出して第１方向へ向かって進む様子をユーザーが見ると、ユーザーは、自分（ユーザー）の指の動きと同様に、第１表示部１５が第２側面露出口１１ｃから第１方向に向かって押し出されたように感じる。これにより、携帯電話機１は、ユーザーによる直感的な操作を実現できる。
【００５２】
図４に示すステップＳＴ１０７を実行した場合も、携帯電話機１は、ステップＳＴ１０６を実行した場合と同様の理由で同じ効果を奏する。但し、ステップＳＴ１０７に至った場合、ユーザーがタッチパネル１４ａに入力した操作方向は、図５−２に示す中間方向ＵＬである。よって、ユーザーが右手で操作している可能性が高いという点で、ステップＳＴ１０７に至った場合と、ステップＳＴ１０７に至った場合とは異なる。ステップＳＴ１０９を実行した場合も、携帯電話機１は、ステップＳＴ１０７を実行した場合と同様の理由で、ユーザーに筐体１０を持ちかえさせるおそれを低減できる。
【００５３】
また、ステップＳＴ１０９に至った場合、ユーザーは第１方向に向かって親指を引き戻すようにタッチパネル１４ａを操作したことになる。このとき、主制御部４６は、図２−５に示すように、第１表示部１５を露出させる露出口を第１操作面露出口１１ｂとする。これにより、第１操作面露出口１１ｂから露出された第１表示部１５の移動方向は、第１方向となる。よって、第１表示部１５が第１操作面露出口１１ｂから露出して第１方向へ向かって進む様子をユーザーが見ると、ユーザーは、自分（ユーザー）の指の動きと同様に、第１表示部１５が第１操作面露出口１１ｂから第１方向に向かって引き出されたように感じる。これにより、携帯電話機１は、ユーザーによる直感的な操作を実現できる。
【００５４】
ここで、例えば、ユーザーが静止画像（写真）や、動画を鑑賞する場合には、操作部１４が携帯電話機１の美観を損ねるおそれがある。このような場合、ユーザーは、図５−２に示すように、中間方向ＤＲ方向にタッチパネル１４ａを操作する。これにより、第１操作面露出口１１ｂから露出した第１表示部１５は、図２−５に示すように操作部１４を覆う。これにより、携帯電話機１は、操作部１４を第１表示部１５で隠せる。結果として、携帯電話機１は、ユーザーが静止画像（写真）や、動画を鑑賞する際に、操作部１４に起因する携帯電話機１の美観の低下を抑制できる。また、図２−５に示すように操作部１４を覆うように第１表示部１５が露出することで、図２−４に示すように第２側面露出口１１ｃから第１表示部１５が露出する場合よりも、携帯電話機１は、第１表示部１５を含めた全体のサイズをコンパクトにできる。
【００５５】
ステップＳＴ１１０を実行した場合も、携帯電話機１は、ステップＳＴ１０９を実行した場合と同様の理由で同じ効果を奏する。但し、ステップＳＴ１１０に至った場合、ユーザーがタッチパネル１４ａに入力した操作方向は、図５−２に示す中間方向ＤＬである。よって、ユーザーが左手で操作している可能性が高いという点で、ステップＳＴ１１０に至った場合と、ステップＳＴ１０９に至った場合とは異なる。
【００５６】
また、携帯電話機１は、図４に示す一連の手順、具体的にはステップＳＴ１１１からステップＳＴ１１５の一連の手順を実行することにより、以下に説明する効果を奏する。上記手順を実行することにより、移動制御部４５は、ユーザーがタッチパネル１４ａに入力した操作量Ｌに応じて、露出口から露出する第１表示部１５の面積を変化させることになる。具体的には、移動制御部４５は、操作量Ｌが大きいほど露出口から露出する第１表示部１５の面積を増加させ、操作量Ｌが小さいほど露出口から露出する第１表示部１５の面積を減少させる。これにより、携帯電話機１は、ユーザーが希望した面積分、第１表示部１５を露出口から露出できる。
【００５７】
また、ステップＳＴ１１６からステップＳＴ１２０の一連の手順を実行することにより、移動制御部４５は、ユーザーがタッチパネル１４ａに入力した操作量Ｌに応じて、露出口から露出する第２表示部１６の面積を変化させることになる。具体的には、移動制御部４５は、操作量Ｌが大きいほど露出口から露出する第２表示部１６の面積を増加させ、操作量Ｌが小さいほど露出口から露出する第２表示部１６の面積を減少させる。これにより、携帯電話機１は、ユーザーが希望した面積分、第２表示部１６を露出口から露出できる。
【００５８】
ここで、移動制御部４５は、操作量Ｌに応じて露出口から露出する表示部の面積を変化させる以外にも、例えば、ユーザーが操作部１４に入力した数値に応じて、露出口から露出させる表示部の面積を調節してもよい。また、例えば、移動制御部４５は、操作部１４に所定の操作が入力される度に、露出口から露出する表示部の面積を増減させてもよい。具体的には、移動制御部４５は、所定ボタンが押下される操作が操作部１４に入力されると、露出口から露出する表示部の面積を増加させ、他の所定ボタンが押下される操作が操作部１４に入力されると、露出口から露出する表示部の面積を減少させる。この場合であっても、携帯電話機１は、ユーザーが希望する面積分、表示部を筐体１０の外部に露出できる。
【００５９】
ここで、携帯電話機１の表示部は、可撓性を有するものに限定されず、撓まなくてもよい。表示部は、筐体１０の内部に収納され、少なくとも一部が筐体１０の外部に露出口を介して露出できればよい。また、携帯電話機１が備える露出口の数は４つに限定されず、複数であればよい。例えば、携帯電話機１は、第１操作面露出口１１ｂ及び第１側面露出口１１ａの２つが形成されてもよい。この場合、携帯電話機１は、ユーザーが右手で操作していることを想定したものとなる。携帯電話機１は、操作方向が図５−２に示すように中間方向ＵＬである場合に、図２−２に示すように第２表示部１６が第１側面露出口１１ａから露出する。また、携帯電話機１は、操作方向が図５−２に示すように中間方向ＤＲである場合に、図２−５に示すように第１表示部１５が第１操作面露出口１１ｂから露出する。
【００６０】
また、携帯電話機１が備える表示部の数は２つに限定されず、例えば１つでもよい。以下に、携帯電話機１が表示部を１つ備える場合の態様の例を２つ説明する。１つ目の例は、携帯電話機１が図２−１に示す第２表示部１６のみを備え、第１操作面露出口１１ｂ及び第２側面露出口１１ｃが形成されない態様である。この場合、携帯電話機１は、第２表示部１６を第１側面露出口１１ａから露出させる場合と、第２操作面露出口１１ｄから露出させる場合とを切り替えることができる。すなわち、携帯電話機１は、第２表示部１６が操作部１４を覆わない場合と、第２表示部１６が操作部１４を覆う場合とを切り替えることができる。なお、携帯電話機１が第１表示部１５のみを備え、第１側面露出口１１ａ及び第２操作面露出口１１ｄが形成されない態様でも同様である。
【００６１】
２つ目の例は、１つの表示部が、図２−１に示す第１巻取体２１ａに巻き取られる場合と、第２巻取体３１ａに巻き取られる場合とがある態様である。この態様では、１つの表示部が、第１巻取体２１ａと第２巻取体３１ａとの間で移動することになる。なお、第１側面露出口１１ａから第２操作面露出口１１ｄの露出口はすべて形成される。この場合、第１補助部材２１ｂ及び第２補助部材３１ｂは、例えば電気が供給されることで磁力を発生できるように構成される。そして、表示部のうち第１巻取体２１ａ側の端部は、磁力によって第１補助部材２１ｂに引き付けられるように構成される。また、表示部のうちの第２巻取体３１ａ側の端部は、磁力によって第２補助部材３１ｂに引き付けられるように構成される。
【００６２】
第１巻取体２１ａから第２巻取体３１ａに表示部を移動させる場合、まず、第１ガイド２３は、表示部の送り先を第２側面露出口１１ｃとする。そして、第１巻取体２１ａが送り出し方向に回転する。表示部が第２巻取体３１ａ側に到達すると、第２補助部材３１ｂは電力が供給される。これにより、第２補助部材３１ｂは、表示部のうち第２巻取体３１ａ側の端部を引き寄せる。よって、携帯電話機１は、表示部が第２補助部材３１ｂに連結される。そして、第１補助部材２１ｂは、自身（第１巻取体２１ａ）への電力の供給が停止される。この状態で、第２巻取体３１ａが巻取り方向に回転すると、表示部は、第１巻取体２１ａから第２巻取体３１ａへ移動する。この態様でも、携帯電話機１は、表示部を２つ備える場合と同様の効果を奏すると共に、表示部の数を低減できるため、筐体１０を小型化できる。
【産業上の利用可能性】
【００６３】
以上のように、本発明に係る携帯電子機器は、少なくとも一部が筐体の外部に露出できるように筐体の内部に設けられる表示部を備える技術であって、表示部の画像表示領域をより有効に活用することに有用である。
【符号の説明】
【００６４】
１  携帯電話機
１０  筐体
１０ａ  操作面
１０ｂ  第１側面
１０ｃ  第２側面
１０ｄ  第３側面
１０ｅ  第４側面
１１ａ  第１側面露出口
１１ｂ  第１操作面露出口
１１ｃ  第２側面露出口
１１ｄ  第２操作面露出口
１２  マイク
１３  レシーバ
１４  操作部
１４ａ  タッチパネル
１５  第１表示部
１５ａ、１６ａ  巻取体側端部
１５ｂ、１６ｂ  先端
１６  第２表示部
２０  第１移動機構
２１ａ  第１巻取体
２１ｂ  第１補助部材
２２  第１モータ
２３  第１ガイド
２４  第１アクチュエータ
３０  第２移動機構
３１ａ  第２巻取体
３１ｂ  第２補助部材
３２  第２モータ
３３  第２ガイド
３４  第２アクチュエータ
４０  制御装置
４１  記憶部
４２  メール送受信部
４３  音声処理部
４４  表示制御部
４５  移動制御部
４６  主制御部
【図１】
2011135367.tif 000003
【図２−１】
2011135367.tif 000004
【図２−２】
2011135367.tif 000005
【図２−３】
2011135367.tif 000006
【図２−４】
2011135367.tif 000007
【図２−５】
2011135367.tif 000008
【図３】
2011135367.tif 000009
【図４】
2011135367.tif 000010
【図５−１】
2011135367.tif 000011
【図５−２】
2011135367.tif 000012